(57)【要約】【課題】インク粒子を効果的に吸い取ることができるプリンタを提供すること。【解決手段】本発明に係るプリンタは、ブラケットと、ブラケットに固定されたコンベヤ及びモーターと、コンベヤに連接されたノズルと、を備える。モーターは、コンベヤを駆動して移動させ、ノズルは、コンベヤにより駆動されて移動しながら、印刷用紙に対してインクを噴射する。また、プリンタは、コンベヤに当接された伝動部品と、伝動部品に固定された第一歯車と、ファンモジュールを備え、且つ第一歯車に当接された配向アセンブリと、を含むインク収集装置をさらに備える。コンベヤが移動する過程において、伝動部品及び第一歯車は、コンベヤにより駆動されて回転され、第一歯車は、配向アセンブリを駆動して回転させ、これにより、ファンモジュールは回転しながら、ノズルがインクを噴射する過程において生じたインク粒子を吸い取る。【選択図】図１
2014008783.tif 000002
【特許請求の範囲】
【請求項１】
ブラケットと、前記ブラケットに固定されたコンベヤ及びモーターと、前記コンベヤに連接されたノズルと、を備え、前記モーターは、前記コンベヤを駆動して移動させ、前記ノズルは、前記コンベヤにより駆動されて移動しながら、印刷用紙に対してインクを噴射するプリンタにおいて、
前記コンベヤに当接された伝動部品と、前記伝動部品に固定された第一歯車と、ファンモジュールを備え、且つ前記第一歯車に当接された配向アセンブリと、を含むインク収集装置をさらに備え、
前記コンベヤが移動する過程において、前記伝動部品及び前記第一歯車は、前記コンベヤにより駆動されて回転し、前記第一歯車は、前記配向アセンブリを駆動して回転させ、これにより、前記ファンモジュールは、回転しながら前記ノズルがインクを噴射する過程において生じたインク粒子を吸い取ることを特徴とするプリンタ。
【請求項２】
前記伝動部品は、伝動部及び前記伝動部の両端に位置するフランジを備え、前記伝動部品には環状凹溝が設けられ、前記コンベヤの一部は前記環状凹溝内に収容され、且つ前記伝動部の外壁に当接されることを特徴とする請求項１に記載のプリンタ。
【請求項３】
前記インク収集装置は固定軸をさらに備え、前記第一歯車は前記固定軸の一端に固定され、前記伝動部品は前記固定軸の他端に固定され、前記固定軸の前記他端は前記ブラケットを貫通することを特徴とする請求項１に記載のプリンタ。
【請求項４】
前記インク収集装置は、前記ブラケットに固定された固定部品をさらに備え、前記固定部品は、第一固定片及び２つの第二固定片を備え、前記第一固定片には第一固定孔が設けられ、前記固定軸は、前記第一固定孔を貫通し、前記第一歯車は、２つの前記第二固定片の間に位置することを特徴とする請求項３に記載のプリンタ。
【請求項５】
前記配向アセンブリは、配向軸、第二歯車、第三歯車、第一配向輪及び第二配向輪を備え、前記第二歯車は前記第一配向輪に固定され、前記第三歯車は前記第二配向輪に固定され、前記第一配向輪及び前記第二配向輪は、駆動方向に沿って回転する場合に前記配向軸を駆動して回転させ、且つ前記配向軸に対して前記駆動方向に相反する締め切り方向に沿って回転する場合に前記配向軸に対してアイドリング可能であることを特徴とする請求項４に記載のプリンタ。
【請求項６】
前記第二歯車は円錐状の第二外面を備え、前記第三歯車は円錐状の第三外面を備え、前記第二外面は、前記第三外面に対向するように設置されることを特徴とする請求項５に記載のプリンタ。
【請求項７】
前記第一歯車は円錐状の第一外面を備え、前記第一外面は前記第二外面と前記第三外面との間に位置し、且つ前記第二外面及び前記第三外面に当接されることを特徴とする請求項６に記載のプリンタ。
【請求項８】
各第二固定片には第二固定孔が設けられ、前記配向軸は２つの前記第二固定片の第二固定孔を貫通し、前記第一配向輪、前記第二配向輪、前記第二歯車及び前記第三歯車は、２つの前記第二固定片の間に位置し、前記ファンモジュールは、前記配向軸の一端に固定されることを特徴とする請求項５に記載のプリンタ。
【請求項９】
前記固定軸は、前記配向軸に対して垂直であることを特徴とする請求項５に記載のプリンタ。
【請求項１０】
前記モーターは、順方向回転及び逆方向回転することにより、前記ノズルを駆動して往復スライドさせ、前記モーターが順方向回転する場合、前記固定軸及び前記第一歯車は、共に第一方向に沿って回転し、前記第一配向輪は、前記第二歯車を介して前記第一歯車により駆動されて前記駆動方向に沿って回転され、前記第二配向輪は、前記第三歯車を介して前記第一歯車により駆動されて前記配向軸に対して前記締め切り方向に沿って回転され、また、
前記モーターが逆方向回転する場合、前記固定軸及び前記第一歯車は、前記第一方向に相反する第二方向に沿って回転し、前記第二配向輪は、前記第三歯車を介して前記第一歯車により駆動されて前記駆動方向に沿って回転され、前記第一配向輪は、前記第二歯車を介して前記第一歯車により駆動されて前記配向軸に対して前記締め切り方向に沿って回転されることを特徴とする請求項５に記載のプリンタ。
【発明の詳細な説明】
【技術分野】
【０００１】
本発明は、プリンタに関し、特にインクジェット式のプリンタに関するものである。
【背景技術】
【０００２】
インクジェット式のプリンタが印刷する過程において、浮遊するインク粒子がプリンタの中で発生し易い。従って、この浮遊するインク粒子がプリンタの内部ケースに付着してプリンタの電子素子の上面に堆積すれば、回路の短絡を招くおそれがある。また、インクが伝動機構に付着すれば、機械のスリップ或いはトルクの変異を招くため、印刷の品質及びプリンタの寿命にも影響を与える。また、プリンタのケーシングの間隙から漏れた浮遊インクが空気中に散布されれば、環境汚染を招くとともに、人々が吸うことで、健康に被害をもたらす。
【発明の概要】
【発明が解決しようとする課題】
【０００３】
そこで、本発明は以上の問題点に鑑みてなされたものであり、インク粒子を効果的に吸い取ることができるプリンタを提供することを目的とする。
【課題を解決するための手段】
【０００４】
上記の課題を解決するために、本発明に係るプリンタは、ブラケットと、前記ブラケットに固定されたコンベヤ及びモーターと、前記コンベヤに連接されたノズルと、を備える。前記モーターは、前記コンベヤを駆動して移動させ、前記ノズルは、前記コンベヤにより駆動されて移動しながら、印刷用紙に対してインクを噴射する。また、前記プリンタは、前記コンベヤに当接された伝動部品と、前記伝動部品に固定された第一歯車と、ファンモジュールを備え、且つ前記第一歯車に当接された配向アセンブリと、を含むインク収集装置をさらに備える。前記コンベヤが移動する過程において、前記伝動部品及び前記第一歯車は、前記コンベヤにより駆動されて回転され、前記第一歯車は、前記配向アセンブリを駆動して回転させる。これにより、前記ファンモジュールは回転しながら、前記ノズルがインクを噴射する過程において生じたインク粒子を吸い取る。
【発明の効果】
【０００５】
従来の技術とは異なり、本発明に係るプリンタはインク収集装置を備え、前記インク収集装置は、伝動部品、第一歯車及び配向アセンブリを備える。前記配向アセンブリは、ファンモジュールを備え、伝動部品はコンベヤに当接され、第一歯車は、伝動部品に固定され、前記配向アセンブリは、第一歯車に当接される。前記コンベヤは、移動する過程において、伝動部品及び第一歯車を動かして回転させる。これに伴い第一歯車は、配向アセンブリを駆使して回転させる。このようにして、配向アセンブリの一端に固定されたファンモジュールは、その回転する過程において、インクジェットによって発生する浮遊するインク粒子を吸い取る。これにより、本発明のプリンタは、インク粒子がプリンタの中に残ることを防止し、回路の短絡などの各種の問題を取り除くことができる。
【図面の簡単な説明】
【０００６】
【図１】本発明の実施形態に係るプリンタの立体図である。
【図２】図１に示した収集装置の分解図である。
【図３】図２に示した収集装置の組立図である。
【図４】図１に示したプリンタの組立図である。
【図５】図１に示したプリンタのブラケットが設置されていない状態を示す組立図である。
【図６】図５におけるＶＩ部の拡大図である。
【発明を実施するための形態】
【０００７】
図１に示すように、本発明の実施形態に係るプリンタは、ブラケット１０と、コンベア２０と、モーター３０と、ノズル５０と、インク収集装置１００と、を備える。
【０００８】
ブラケット１０は、印刷する用紙を積載するために用いられる。ノズル５０は、コンベヤ２０に連接され、且つスライド軸５１にスライド可能に装着される。モーター３０は、コンベヤ２０を駆動して、コンベヤ２０を正転或いは逆転させる。ノズル５０は、コンベヤ２０により駆動されて、スライド軸５１に沿って往復スライドして、用紙にインクを噴射する。
【０００９】
ブラケット１０は固定板１１を備える。固定板１１は紙を積載するために用いられる。コンベヤ２０及びノズル５０は、固定板１１の上方に位置する。モーター３０は、固定板１１の下方に位置する。また、固定板１１には、貫通孔（図示せず）が設けられている。
【００１０】
図２に示すように、インク収集装置１００は、伝動部品６０と、第一歯車７１と、配向アセンブリ７０と、固定部品８０と、ファンモジュール９０と、を備える。
【００１１】
伝動部品６０の外周には、環状凹溝６０１が設けられており、また、柱状の伝動部６１及び伝動部６１の両端に位置するフランジ６３が形成されている。伝動部品６０は、伝動部６１と２つのフランジ６３とを貫通する収容孔６０３をさらに備える。本実施形態において、伝動部品６０の長さ方向に沿う断面は、略「エ」字状を呈する。
【００１２】
第一歯車７１は、固定軸７１０の一端に固定され、且つ円錐状の第一外面７１１を備える。第一外面７１１には、複数のギアの歯（ｇｅａｒ  ｔｅｅｔｈ）（図示せず）が設けられている。本実施形態において、第一歯車７１はかさ歯車である。
【００１３】
固定部品８０は、第一固定片８１及び２つの第二固定片８２を備える。２つ第二固定片８２は、第一固定片８１の対向する２つの縁から同じ方向に沿って延在する。第一固定片８１の中央部には、第一固定孔８１１が設けられている。２つの第二固定片８２には、第二固定孔８２１がそれぞれ設けられている。本実施形態において、２つの第二固定片８２は、第一固定片８１に対してほぼ垂直である。
【００１４】
配向アセンブリ７０は、第二歯車７２、第三歯車７３、第一配向輪７５、第二配向輪７６及び配向軸７８を備える。第一配向輪７５は、第二歯車７２に固定される。第二配向輪７６は、第三歯車７３に固定される。第二歯車７２は、円錐状の第二外面７２１を備える。第三歯車７３は、円錐状の第三外面７３１を備える。第一外面７１１及び第三外面７３１にも、複数のギアの歯（図示せず）が設けられている。配向軸７８は、第一配向輪７５及び第二配向輪７６を貫通する。
【００１５】
第一配向輪７５及び第二配向輪７６は、１つ固有の駆動機構（図示せず）を介して配向軸７８を駆動して回転させる。本実施形態において、前記駆動機構は、楔形弾片及び係止スロットを備える。第一配向輪７５及び第二配向輪７６の何れにも、前記楔形弾片が設けられている。前記係止スロットは、配向軸７８に設けられている。第一配向輪７５及び第二配向輪７６が駆動方向に沿って回転する時、前記楔形弾片は前記係止スロットの中に嵌入する。これにより、配向軸７８は、第一配向輪７５及び第二配向輪７６により誘導されて、前記駆動方向に沿って回転される。また、第一配向輪７５及び第二配向輪７６が、前記駆動方向の逆方向に沿って回転する時、前記楔形弾片は圧縮されて変形して、前記係止スロットの中に嵌入できなくなり、さらに配向軸７８を動かして回転させることができない。
【００１６】
ファンモジュール９０は、固定部９１及び固定部９１の外周に設けられた複数の羽根９３を備える。前記固定部９１には、取付孔９１１が設けられている。
【００１７】
以下、図３ないし図６を参照して、インク収集装置１００の組み立てステップについて詳細に説明する。
【００１８】
インク収集装置１００を組み立てる場合、第一歯車７１及びこの第一歯車７１から垂直に突出する固定軸７１０を２つの第二固定片８２の間に設置し、且つ固定軸７１０を第一固定孔８１１に貫通させる。次に、配向軸７８の両端を、２つの第二固定片８２の第二固定孔８２１にそれぞれ貫通させて、配向軸７８を各第二固定片８２の第二固定孔８２１の中に回転可能に装着する。次に、ファンモジュール９０の取付孔９１１と配向軸７８とを位置合わせした後、ファンモジュール９０を配向軸７８の一端に固定する。続いて、溶接、ボルト等の固定方式によって、固定部品８０を固定板１１の下面に固定し、且つ固定軸７１０と固定板１１に設けられた貫通孔とを位置合わせする。続いて、第一歯車７１を上へ移動させて、固定軸７１０を固定板１１の前記貫通孔から露出するように貫通させる。続いて、伝動部品６０の収容孔６０３と固定軸７１０の上端とを位置合わせした後、伝動部品６０を下方へ移動させて、固定軸７１０を収容孔６０３に貫通させることにより、伝動部品６０を固定軸７１０の他端に固定する。この際、固定軸７１０は、配向軸７８に対してほぼ垂直である。続いて、コンベヤ２０の一部を、伝動部品６０の環状凹溝６０１内に収容し、且つ伝動部６１の外壁に当接させる。第一歯車７１の第一外面７１１は、第二歯車７２の第二外面７２１及び第三歯車７３の第三外面７３１に当接される。これにより、コンベヤ２０が回転すると、伝動部品６０は連動して同時に回転する。
【００１９】
本発明のプリンタが動作する場合、モーター３０が順方向回転或いは逆方向回転することによりコンベヤ２０を駆動して、コンベヤ２０を第一方向或いは該第一方向に相反する第二方向に沿って移動させる。これにより、ノズル５０は連動してスライド軸５１に沿って往復スライドする。コンベヤ２０は、第一方向に沿って移動すると同時に、伝動部品６０を駆動して第三方向に沿って回転させる。この際、固定軸７１０及び第一歯車７１は、伝動部品６０と共に前記第三方向に沿って回転する。さらに、第二歯車７２は、第一歯車７１により駆動されて第四方向に沿って回転する。第三歯車７３は、第一歯車７１により駆動されて第五方向に沿って回転する。ここで、第四方向とは、第二歯車７２及び第三歯車７３の駆動方向であり、第五方向とは、第二歯車７２及び第三歯車７３の締め切り方向である。つまり、配向軸７８及びファンモジュール９０は、第二歯車７２により動かされて前記第四方向に沿って回転される。第三歯車７３は、配向軸７８の上でアイドリングする。
【００２０】
コンベヤ２０は、前記第二方向に沿って移動すると同時に、伝動部品６０を連動して前記第三方向に相反する第六方向に沿って移動させる。この際、固定軸７１０及び第一歯車７１は、伝動部品６０と共に前記第六方向に沿って回転する。第二歯車７２は、第一歯車７１により駆動されて前記第五方向に沿って回転される。第三歯車７３は、第一歯車７１により駆動されて前記第四方向に沿って回転する。これにより、配向軸７８及びファンモジュール９０は、第三歯車７３により動かされて前記第四方向に沿って回転する。第二歯車７２は、配向軸７８の上でアイドリングする。
【００２１】
上記の実施形態から分かるように、モーター３０が順方向回転であれ、逆方向回転であれ、また、コンベヤ２０が第一方向或いは第二方向に沿って回転することにかかわらず、ファンモジュール９０は、インク収集装置１００により駆使されて、ずっと１つの方向に沿って回転する。また、ファンモジュール９０は、その回転する過程において、プリンタの中に浮遊しているインク粒子を吸い取る。これにより、インク粒子がプリンタの中に残ることを防止し、回路の短絡などの各種の問題を取り除くことができる。
【００２２】
以上、本発明の好適な実施形態について詳細に説明したが、本発明は上記の実施形態に限定されるものではなく、本発明の範囲内で種々の変形又は修正が可能であり、該変形又は修正も本発明の特許請求の範囲内に含まれるものであることは言うまでもない。
【符号の説明】
【００２３】
１０      ブラケット
１１      固定板
２０      コンベヤ
３０      モーター
５０      ノズル
５１      スライド軸
６０      伝動部品
６１      伝動部
６３      フランジ
７０      配向アセンブリ
７１      第一歯車
７２      第二歯車
７３      第三歯車
７５      第一配向輪
７６      第二配向輪
７８      配向軸
８０      固定部品
８１      第一固定片
８２      第二固定片
９０      ファンモジュール
９１      固定部
９３      羽根
１００    インク収集装置
６０１    環状凹溝
６０３    収容孔
７１０    固定軸
７１１    第一外面
７２１    第二外面
７３１    第三外面
８１１    第一固定孔
８２１    第二固定孔
９１１    取付孔
【図１】
2014008783.tif 000003
【図２】
2014008783.tif 000004
【図３】
2014008783.tif 000005
【図４】
2014008783.tif 000006
【図５】
2014008783.tif 000007
【図６】
2014008783.tif 000008